(57)【要約】      （修正有）【課題】安全性と利便性とを両立させた長尺状体の巻取りが可能な長尺状体の収納体の提供を図る。【解決手段】巻取り部と、巻取り部に引き出し可能に巻回されたコード等の長尺状体２と、長尺状体の先端に設けられた先端部２１としての充電プラグと、先端部２１を着脱可能に係止する受け部２２とを備える。受け部２２は、先端部２１を係止した際に動く操作部を備える。操作部の動きによって巻取り部による長尺状体２の巻取りが開始され、先端部２１が受け部２２に係止した状態を維持する間、長尺状体２の巻取が完了するまで、長尺状体２の巻取りが継続される。【選択図】図１
2015081162.tif 000002
【特許請求の範囲】
【請求項１】
巻取り部と、前記巻取り部に巻回されたコード等の長尺状体と、前記長尺状体の先端に設けられた先端部と、前記先端部を着脱可能に係止する受け部とを備えた長尺状体の収納体において、
前記受け部は、前記先端部を前記受け部に係止した際に動く操作部を備え、
前記操作部の動きによって前記巻取り部による前記長尺状体の巻取りが開始され、前記先端部が前記受け部に係止した状態を維持する間、前記長尺状体の巻取が完了するまで、前記長尺状体の巻取りが継続されることを特徴とする長尺状体の収納体。
【請求項２】
前記巻取り部は、引き出された状態の前記長尺状体を巻き取るために、前記長尺状体を常時引っ張っており、
前記巻取り部による前記長尺状体の巻取りを止めるストッパ機構を備え、
前記ストッパ機構は、前記長尺状体に接触して抵抗を加えることによって、前記巻取りを止める当接部を備え、
前記長尺状体は、自由状態にあるとき、前記巻取り部によって常時引っ張られながら、前記当接部によって抵抗を受けることにより、巻取りが停止している状態を保つものであり、
前記操作部は、前記当接部に接続され、
前記操作部が動くと、前記当接部による前記抵抗が弱まることによって、前記巻取り部による前記長尺状体の巻取りがなされることをことを特徴とする請求項１記載の長尺状体の収納体。
【請求項３】
前記巻取り部は、第１案内子と第２案内子の少なくとも２つの案内子にて構成され、
それぞれの前記案内子間に前記長尺状体が掛け渡され、
前記案内子の少なくとも一つは他の案内子に対して接近離反可能な案内子であり、
接近離反可能な案内子はスライド部に設けられ、前記スライド部はガイド部に沿ってスライドし、
前記離反により前記長尺状体を巻取り、前記接近により前記長尺状体を繰り出すようにしたことを特徴とする請求項１又は２記載の長尺状体の収納体。
【請求項４】
前記巻取り部は、設置面に設置されたケーシング内に設けられ、
前記ケーシングに引き出し穴が開口され、
前記巻取り部に巻回された前記長尺状体は、前記巻取り部から前記引き出し穴を経て外部に引き出されるものであり、
前記引き出し穴の下端は、前記巻取り部から前記長尺状体が巻きを解かれる前記長尺状体の解放始点よりも、下方に位置しており、
前記ケーシング内に、中間案内部と、前記中間案内部よりも引き出し穴寄りに設けられた出口案内部とを備え、
前記出口案内部は、前記解放始点よりも下方に位置し、
前記中間案内部は、前記出口案内部と前記解放始点とを結ぶ線分よりも上方に位置することにより、前記解放始点から前記引き出し穴までの領域において、前記長尺状体が前記ケーシング内で湾曲した状態を保つことを特徴とする請求項１乃至３の何れかに記載の長尺状体の収納体。
【請求項５】
前記長尺状体は、プラグインハイブリッド車又はＥＶ車に対する充電用コードであり、前記先端部は、先端に接続端子を有する充電プラグであることを特徴とする請求項１乃至４の何れかに記載の長尺状体の収納体。
【請求項６】
巻取り部と、前記巻取り部に巻回されたコード等の長尺状体と、前記長尺状体の先端に設けられた先端部と、前記先端部を着脱可能に係止する受け部とを備えた長尺状体の収納体において、
前記受け部は、前記先端部を前記受け部に係止した際に動く操作部を備え、
前記操作部の動きを少なくとも１つの開始条件として前記巻取り部による前記長尺状体の巻取りが開始され、前記先端部が前記受け部に係止した状態を維持することを少なくとも１つの継続条件として、前記長尺状体の巻取が完了するまで、前記長尺状体の巻取りが継続されることを特徴とする長尺状体の収納体。
【発明の詳細な説明】
【技術分野】
【０００１】
本発明は、長尺状体の収納体に関するものである。
【背景技術】
【０００２】
特許文献１へ示す通り、コードリールなどの長尺状体の収納体として一般的なものには、ケーシングにリールなどの巻取り部を内蔵し、このリールへ多重にコードを捲回しコードを巻き取り収納する装置が知られている。
この種の長尺状体の収納体は、エネルギー消費型と、エネルギー自給型とに大別し得る。エネルギー消費型は、巻取り部として、電気エネルギーを消費して、電動モータを回転させて、この電動モータの回転によりリールを回転させて長尺状体を巻き取るものである。他方、エネルギー自給型は、巻取り部から長尺状体を引き出す際のエネルギーを蓄えておき、蓄えたエネルギーにより長尺状体を巻き取るようにしたものである。エネルギーを蓄える手段としては、特許文献１に示すようにゼンマイバネを利用して弾性エネルギーとして蓄えるものや、位置エネルギーとして蓄えるものが知られている。
【０００３】
エネルギー自給型にあっては、蓄えたエネルギーを開放することで長尺状体を巻き取るため、省エネルギーの観点からは有利である。ところが、蓄えられているエネルギーは、常に開放されるように作用するため、ストッパ機構によって長尺状体の巻取りを停止させておく必要がある。そして、巻取りが必要な際に、ストッパ機構を解除して、
長尺状体の巻取りを行うようにする必要がある。
【０００４】
一方、長尺状体の収納体は、電気器具の電気コードの巻取り、通信器具の通信コードの巻き取りの他、内部に流体が通されるホースの巻き取り等々、種々の用途に利用されている。本願出願使用者は、従来より種々の電気コードの巻取り装置を開発しているが、プラグインハイブリッド車やＥＶ車（以下、これらを包括して電気自動車という）に対する充電用のコードを巻き取り、収納するための収納体の開発に着手した。具体的には、電源側に配置された収納体からコードを数メートルに渡って引き出し、コードの先端に設けられた接続体をプラグインハイブリッド車やＥＶ車のコンセントに接続して充電を行い、充電完了後、コードを収納体の巻取り部にて巻き取り、収納体内に収納しておくようにしたものである。本願出願使用者は、従来の電気コードの巻取り装置に関する技術を応用して、その開発にあたったが、充電用のコードは比較的太くまた重量もあると共に、先端の先端部を接地させることなく巻き取る必要があるため、種々の改良をなす必要のあることが判明した。
【先行技術文献】
【特許文献】
【０００５】
【特許文献１】実開昭５５−１３３０１８号公報
【発明の概要】
【発明が解決しようとする課題】
【０００６】
長尺状体の収納体、より具体的には、電気自動車に対する充電用のコードの収納体の開発に際しては、長尺状体を確実に巻き取り、収納することができ、しかも長尺状体の収納体として利便性を向上させる必要がある。
特に、引き出された長尺状体を巻き取るに際しては、不用意に巻取りが行われると、長尺状体に足を取られて転倒するなどの事故の発生が予測される。このような安全性の観点から、当初、本発明者たちは、前述のストッパ機構によって長尺状体の巻取りを常時停止させた状態にしておき、巻取りが必要な際に、使用者が押しボタンを押してストッパ機構を解除して長尺状体の巻取りが行われるようにし、使用者が押しボタンから手を離すと巻取り停止するようにした長尺状体の収納体を開発せんとした。ところが、数メートルの長さに渡って引き出された長尺状体を瞬時に巻き取ることはできず、たとえ巻き取ることができたとしても安全性の観点からは望ましいことではない。そのため、数秒間をかけて長尺状体は巻き取られることになるが、その間、ずっと使用者が押しボタンを押し続けることは、利便性の観点から望ましいことではない。
そこで、本発明の第１の課題は、安全性と利便性とを両立させた長尺状体の巻取りが可能な長尺状体の収納体を提供することにある。
【０００７】
また、本発明者が開発せんとした駐車場装置や公共施設の敷地など、屋外の設置箇所に設置される電気自動車の充電スタンド用の長尺状体の収納体は、使用者が長尺状体を引き出し易いように、使用者の背丈よりも少し低い位置に、長尺状体の引き出し穴を有する。長尺状体を引き出し穴に接触した状態で長尺状体の引き出し巻き戻しを行うことは、長尺状体の摩擦抵抗が大きくなり傷つけるおそれもある。そのため、長尺状体を引き出し穴に接触させないためには、ガイドローラによって案内することが好ましいが、長尺状体はガイドローラを通過すると自重で下方に垂れ、長尺状体に変曲点ができる。この変曲点は、巻き取りの抵抗となるため、巻き取りがうまく行われない場合が生じるおそれがある。長尺状体の巻き取る力を増やせば、巻き取りの抵抗が大きくても巻き取ることは可能であるが、長尺状体の巻き取る力が増やせば、使用者が長尺状体を引き出す際にも大きな力が必要となるため、長尺状体の引き出しが困難になる。
【０００８】
そこで、本発明の第２の課題は、長尺状体の巻取り抵抗を小さくすることができる長尺状体の収納体を提供することにある。
【課題を解決するための手段】
【０００９】
本発明は、巻取り部と、前記巻取り部に巻回されたコード等の長尺状体と、前記長尺状体の先端に設けられた先端部と、前記先端部を着脱可能に係止する受け部とを備えた長尺状体の収納体に関するものである。前記受け部は、前記先端部を前記受け部に係止した際に動く操作部を備え、前記操作部の動きによって前記巻取り部による前記長尺状体の巻取りが開始され、前記先端部が前記受け部に係止した状態を維持する間、前記長尺状体の巻取が完了するまで、前記長尺状体の巻取りが継続される。
また本発明は、巻取り部と、前記巻取り部に巻回されたコード等の長尺状体と、前記長尺状体の先端に設けられた先端部と、前記先端部を着脱可能に係止する受け部とを備えた長尺状体の収納体において、前記受け部は、前記先端部を前記受け部に係止した際に動く操作部を備え、前記操作部の動きを少なくとも１つの開始条件として、前記巻取り部による前記長尺状体の巻取りが開始され、前記先端部が前記受け部に係止した状態を維持することを少なくとも１つの継続条件として、前記長尺状体の巻取が完了するまで、前記長尺状体の巻取りが継続されることを特徴とする長尺状体の収納体を提供する。
【００１０】
これによって、使用者は、前記先端部を前記受け部に係止させるだけで、引き出した前記長尺状体を自動的に巻き取ることができる。前記巻取り部による前記長尺状体の巻取りは、電動式ものであってもよいが、バネや重力などエネルギーの蓄積手段に抗して前記長尺状体を引き出すようにし、引き出しにより蓄積手段に蓄えられたエネルギーを用いて前記長尺状体を巻き取るようにすることが省エネルギーの観点からは望ましい。
【００１１】
このように、エネルギーの蓄積手段を有するものの場合などにあっては、前記巻取り部は、引き出された状態の前記長尺状体を巻き取るために、前記長尺状体を常時引っ張っている状態となる。ところが、前記長尺状体を常時引っ張っている状態となっていると、前記巻取り部による前記長尺状体の巻取りを止めるストッパ機構を備えていなければ、引き出した前記長尺状体を使用することが困難になる。このストッパ機構は種々の形態を採ることができるが、前記ストッパ機構として、前記長尺状体に接触して抵抗を加えることによって、前記巻取りを止める当接部を備えたものも用いることができる。これによって、前記長尺状体は、自由状態にあるとき、前記巻取り部によって常時引っ張られながら、前記当接部によって抵抗を受けることにより、巻取りが停止している状態を保つもことができる。そして、前記操作部が前記当接部に接続され、前記操作部が動くと、前記当接部による前記抵抗が弱まることによって、前記巻取り部による前記長尺状体の巻取りがなされるものとして実施することができる。
【００１２】
前記巻取り部は、ゼンマイバネによって巻き取りが行われるコードリールなどを用いることができるが、第１案内子と第２案内子の少なくとも２つの案内子にて構成されたものを用いることもできる。この場合、それぞれの前記案内子間に前記長尺状体が掛け渡され、前記案内子の少なくとも一つは他の案内子に対して接近離反可能な案内子であり、接近離反可能な案内子はスライド部に設けられ、前記スライド部はガイド部に沿ってスライドし、前記離反により前記長尺状体を巻取り、前記接近により前記長尺状体を繰り出すようにしたものとすることができる。前記接近離反可能な案内子は、上下に昇降するように配置することで、引き出した際に前記接近離反可能な案内子に位置エネルギーが蓄えられ、これを開放することによって前記他の案内子から離反して、長尺状体を巻き取るようにすることができる。また、前記接近離反可能な案内子は、横方向に移動するように配置した場合には、スプリングなどの付勢手段を用いることで、引き出しの際のエネルギー付勢手段に蓄えることができる。また、横方向に移動するように配置した場合にも、位置エネルギーを蓄えるようにすることもできる。具体的には、前記接近離反可能な案内子にワイヤなどの長尺体を接続し、長尺体を垂下させて、その先端に錘を付けることで、錘の位置エネルギーを利用できる。
【００１３】
前記巻取り部は、設置面に設置されたケーシング内に設けることができる。その際、前記ケーシングには、引き出し穴が開口され、前記巻取り部に巻回された前記長尺状体は、前記巻取り部から前記引き出し穴を経て外部に引き出される。そして、前記引き出し穴の下端は、前記巻取り部から前記長尺状体が巻きを解かれる前記長尺状体の解放始点よりも、下方に位置しており、前記ケーシング内に、中間案内部と、前記中間案内部よりも引き出し穴寄りに設けられた出口案内部とを備え、前記出口案内部は、前記解放始点よりも下方に位置し、前記中間案内部は、前記出口案内部と前記解放始点とを結ぶ線分よりも上方に位置することにより、前記解放始点から前記引き出し穴までの領域において、前記長尺状体が前記ケーシング内で湾曲した状態を保つようにしてもよい。これによって、前記長尺状体を自然な湾曲状態に保つことができ、巻き取りの際の抵抗を減少させることができる。
【００１４】
この長尺状体の収納体は、種々の長尺状体を巻き取ることができるが、前記長尺状体は、プラグインハイブリッド車又はＥＶ車に対する充電用コードであり、前記先端部は、先端に接続端子を有する充電プラグとすることもできる。
【発明の効果】
【００１５】
本発明は、安全性と利便性とを両立させた長尺状体の巻取りが可能な長尺状体の収納体を提供することができたものである。
【図面の簡単な説明】
【００１６】
【図１】（Ａ）本発明の一実施の形態に係る収納体の正面図、（Ｂ）同収納体の側面図。
【図２】同収納体の中央縦断面図。
【図３】（Ａ）図２の要部拡大図、（Ｂ）同変形例の要部拡大図。
【図４】（Ａ）同収納体の受け部及び長尺状体の先端に設けられた充電プラグの側面図、（Ｂ）同充電プラグの正面図。
【図５】同収納体の内部構造の要部説明図。
【図６】同収納体の変形例を示す内部構造説明図。
【発明を実施するための形態】
【００１７】
以下、図面に基づき本発明の実施の形態を説明する。
（基本構成）
本発明の実施の形態に係る収納体は、充電用コードの収納体として実施されたもので、この収納体は、駐車場などの床や地面の設置面ｇに設置されたケーシング１を備える。ケーシング１内には、電気供給線である長尺状体２を巻回する巻取り部３と、出口ローラ４と、中間ローラ５と、ガイド機構６と、ストッパ機構７とが設けられている。使用者は、長尺状体２を引き出して、その先端に設けられた充電プラグ２１を、電気自動車のバッテリの接続端子に接続して充電する。充電が終わると、充電プラグ２１をケーシング１の受け部２２に戻すだけで、引き出した長尺状体２がケーシング１内に巻き取られるようにしたものである。以下、各構成について詳しく説明する。
【００１８】
（長尺状体２）
長尺状体２は、導電部材を絶縁体にて被覆した充電用コードである。この例では、長尺状体２の先端には充電プラグ２１が設けられている。充電プラグ２１は、電気自動車のバッテリを充電する際、電気自動車へ接続される。
【００１９】
（ケーシング１）
ケーシング１は、縦長の直方体の筺体であり、その正面に長尺状体２の引き出し穴１０を備える。引き出し穴１０の位置は適宜設定すればよいが、引き出し穴１０の下端１１が、巻取り部３から長尺状体２が巻きを解かれる長尺状体の解放始点ｋ１よりも、下方に位置し、長尺状体２と接触しないことが望ましい（図２参照）。
【００２０】
より具体的には、引き出し穴１０の下端１１は設置面ｇから約１〜２ｍの高さに位置するのが適当であり、引き出し穴１０から自然に設置面ｇへ垂れ下がる長尺状体２は、通常、ケーシング１の正面から前方へ離れた位置（例えば２０〜５０ｃｍ離れた位置）で接地する。ケーシング１内には、巻取り部３の上部に、長尺状体２（充電用コード）に電気を供給する給電部１２が配置されており、給電部１２は外部電源に接続されている。
【００２１】
（巻取り部３）
巻取り部３は、この例では、図２及び図３へ示す通り、第１案内子３１と第２案内子３２の少なくとも２つの案内子にて構成されている。長尺状体２は、それぞれの案内子３１，３２を巻回軸としてこれらの案内子３１，３２間に１往復以上、複数周掛け渡されており、第１案内子３１と第２案内子３２とを接近離反させることによって、長尺状体２の巻取り繰り出しがなされる。この第１案内子３１と第２案内子３２とは少なくとも何れか一方を動かすことで接近離反されるが、この例では、第１案内子３１を固定し、第２案内子３２を動かす（昇降させる）ことで、接近離反がなされる。繰り出された長尺状体２は、巻取り部３から引き出し穴１０を介して引き出し可能とされている。
【００２２】
従来の多くのコードリールにあっては、回転するリールにコードを巻き取るため、引き出し用のコードと、このコードに対して給電する給電コードとを分離し、回転する電気接点部によって、両コードを電気的に接続する構造となっていた。ところが、この実施の形態に係る巻取り部３は、長尺状体２を巻取り部３にて切断することなく、そのまま給電部１２に接続することができる点で、漏電やショートの可能性を抑制できる点で有利である。詳しくは、給電部１２から引き出された長尺状体２は、第１案内子３１に沿って第２案内子３２にまで達し、第２案内子３２で折り返して第１案内子３１に戻る。１往復で足る場合には、第１案内子３１に戻るか或いは他の案内子に案内されて引き出し穴１０から導出される。２往復以上する場合には、第１案内子３１から折り返して第２案内子３２に導かれ、再度折り返して、第１案内子３１に戻るか或いは他の案内子に案内されて引き出し穴１０から導出される。その際、第１案内子３１及び第２案内子３２は、円形のリール状として、各周回の長尺状体２を受容する凹溝が形成されていることが望ましい。第１案内子３１及び第２案内子３２は、長尺状体２との摩擦抵抗を軽減してその動きを円滑になすために、回動可能であることが望ましいが、摩擦抵抗が小さい素材で構成するなどすれば、回動不能なものであってよい。
【００２３】
（ガイド機構６）
第１案内子３１の支持軸はケーシング１に支持されているが、第２案内子３２は、ガイド機構６によって案内されながら昇降する。ガイド機構６はスライド部６１とガイド部６２とを備え、第２案内子３２はその支持軸がスライド部６１に支持され、このスライド部６１が上下に伸びるガイド部６２によって案内されながら昇降する。この例では、スライド部６１の前後にガイド部６２を配置することで、ケーシング１の全体の横幅（第１案内子３１の軸方向の長さ）を小さくしている。
【００２４】
スライド部６１は、その自重によって下方に移動するもので、必要に応じてウエイト調整用の錘が設けられる。
長尺状体２が繰り出し前の状態では、スライド部６１及び第２案内子３２は下端に位置している。そして、使用者がケーシング１の引き出し穴１０から出ている長尺状体２の先端側を引っ張ることで、スライド部６１が重力に抗して上昇する。この引っ張りを止めて長尺状体２が自由状態となることで、スライド部６１の位置エネルギーによってスライド部６１が下降して長尺状体２が巻き取られる。
なお、図示は省略するが、スライド部６１の昇降の上限と下限には、コイルバネなどのショックアブソーバを設けておくことも望ましい。
【００２５】
（出口ローラ４と中間ローラ５）
図３（Ａ）へ示す通り、ケーシング内には、出口案内部としての出口ローラ４と、中間案内部としての中間ローラ５とが配置されている。出口ローラ４は引き出し穴１０の近くに配置され、中間ローラ５は出口ローラ４と第１案内子３１との間に配置されている。
【００２６】
出口ローラ４と中間ローラ５は、長尺状体２の下方に位置し、長尺状体２の下方から支持する。出口案内部と中間案内部は、回転しない支持体によって構成することもできるが、長尺状体２の巻取り引き出しの抵抗を少なくするために、回動自在な両ローラ４、５によって構成することが望ましい。
【００２７】
出口ローラ４と中間ローラ５との位置は、長尺状体２の案内が円滑になされるように設定する。この例では、図３（Ａ）に示すように、出口ローラ４は、解放始点ｋ１よりも下方であり且つ引き出し穴１０の下端１１よりも上方にて前記長尺状体と接する。中間ローラ５は、解放始点ｋ１よりも下方であり且つ出口ローラ４より上方にて長尺状体２と接する。出口ローラ４と中間ローラ５とは、解放始点ｋ１に対して、直線上に配置されている。
【００２８】
なお、図３（Ｂ）に示すように、出口ローラ４と解放始点ｋ１とを結ぶ線分ａよりも上方に位置するように、中間ローラ５を配置することも望ましい。図３（Ｂ）の例では、中間ローラ５が、長尺状体２の下方への移動を規制して、線分ａに対して、解放始点ｋ１と出口ローラ４間にて長尺状体２を、上方へ向けて凸状の曲線として保つ。この曲線は、長尺状態の自然な曲がりに近づけておくことが、長尺状体２の移動抵抗を少なくする点で望ましい。
【００２９】
（ストッパ機構７）
ストッパ機構７は、引き出した長尺状体２から手を離しても、不用意に長尺状体が巻き取られることがないようにするためのものである。具体的には、当接部７１と、操作部７２と、連結部材７３とを備える。連結部材７３は支点７４によって回動可能に支持されており、連結部材７３の一端には当接部７１が接続され、他端には操作部７２が接続されている。操作部７２は、ケーシング１の外側に配置されている。この操作部７２を、ケーシング１に近づくように押すことで、当接部７１が長尺状体２から離れる方向に移動する。
【００３０】
このストッパ機構７の作用を、長尺状体２の引き出し、引き出し停止、巻き込みの３つ状態についてそれぞれ説明する。
（長尺状体２の引き出し）
長尺状体２の先端側を使用者が引っ張ると、長尺状体２は、当接部７１による若干の抵抗を受けつつも、当接部７１を押し上げながら、引っ張りだされる。その際、前述のように、第２案内子３２及びスライド部６１は重力に抗して上昇する。
【００３１】
（長尺状体２の引き出し停止）
長尺状体２から使用者が手を離すと、当接部７１による抵抗で、長尺状体２の動きが停止し、第２案内子３２及びスライド部６１も停止するが、その重力は長尺状体２を巻き込む方向に引っ張る方向に作用している。従って、当接部７１による抵抗は、この重力による引っ張り力よりも大きなものに設定されている。
【００３２】
より詳しくは、当接部７１は、出口ローラ４と中間ローラ５とによって下方から支持された長尺状体２を、その反対側（上側）から押さえて挟むようにすることで、長尺状体２の移動抵抗を加えて、停止させるものである。当接部７１には、摩擦抵抗の大きな部材を用いることもできるが、この例では、上記ローラ４、５と同様の回動可能なローラが用いられている。回動可能なローラを当接部７１として用いた場合には、それ自体の摩擦抵抗は小さなものとなるが、出口ローラ４と中間ローラ５の間に当接部７１を配置して、出口ローラ４及び中間ローラ５に接近させることによって、長尺状体２を湾曲させることで、長尺状体２の巻取りを停止させることができる。また、当接部７１に引き出し方向にのみ回転するワンウエイクラッチ付きのローラを用いることによって、引き出し時の抵抗を軽減させつつ、巻き込み方向への抵抗を大きくすることもできる。また、連結部材７３などにバネ等の付勢手段を配置して、長尺状体２を当接部７１で常時押圧するようにしてもよい。
【００３３】
（長尺状体２の引き出し巻き込み）
操作部７２を、ケーシング１に近づくように押すと、連結部材７３が支点７４を中心に回動して、当接部７１を長尺状体２から離れる方向に移動させる。これによって、当接部７１による抵抗が軽減もしくは解除されて、第２案内子３２及びスライド部６１の重力によっる長尺状体２に対する引っ張りの力が当接部７１による抵抗よりも大きくなり、長尺状体２が巻取り部３に巻き取られる。
【００３４】
（ストッパ機構７と充電プラグ２１）
この実施の形態では、充電プラグ２１をケーシング１の外部（この例では正面）に設けられた受け部２２に装着することで、ストッパ機構７の操作部７２を押圧するように構成されており、使用者は電気自動車への充電が終わったら、長尺状体２の先端の充電プラグ２１を受け部２２にセットすることで、自動的に長尺状体２が巻き上げられるようにしている。充電プラグ２１は、電気自動車への充電プラグ２１として標準化されているもので、その先端には筒状の差し込み部２８と、差し込み部２８の上方に突出するラッチ２４とを備える。差し込み部２８の内部には、一対の電源端子２５と、その下方に配置された一対の信号端子２７と、１つのアース端子２６とを備える。
【００３５】
具体的には、受け部２２は、充電プラグ２１の先端の差し込み部２８を受容する筒状をなしており、受け部２２の上部には係止部２３が設けられている。この係止部２３は、充電プラグ２１の先端上部に突出するラッチ２４と係合するもので、使用者は電気自動車への充電時の接続と同様の要領で、受け部２２に充電プラグ２１の先端の差し込み部２８を挿入するだけで、ラッチ２４が係止部２３に係合して、充電プラグ２１のセットが完了する。この受け部２２の内部に、上述の操作部７２が配置されている。この操作部７２は、充電プラグ２１のセットが完了した段階で、押された状態となる。これによって、上述の長尺状体２の引き出し巻き込みが自動的になされる。充電プラグ２１が受け部２２から外されると、ストッパ機構７の当接部７１による押圧が解除されて、上述の長尺状体２の引き出しと引き出し停止が可能な状態となる。
【００３６】
この例では、７２は、電源端子２５、アース端子２６、信号端子２７の内、最も先端に突出しているアース端子２６に接触して押圧されるように構成されているが、筒状の差し込み部２８先端によって押圧されるようにするなど、充電プラグ２１のセット時に押圧されるものであればよい。
【００３７】
このストッパ機構７と充電プラグ２１との関係は種々変更することができ、受け部２２を単なるフック状のものとして、充電プラグ２１を単に引っ掛けるだけのものとしてもよい。そして、充電プラグ２１を受け部２２に引っ掛けた重さによって、受け部２２が下方に下がるようにし、この下方への移動によって、操作部７２を押すようにしてもよい。また、上述の例では、操作部７２を横方向に押すことによって当接部７１が長尺状体２を押圧するようにしていたが、操作部７２が下方に下がる動きによって、当接部７１の押圧がなされるようにしてもよい。
【００３８】
（その他）
図５に示すように、前述のスライド部６１を案内するガイド部６２は、ケーシング１の前後（第２案内子３２の支持軸を挟んで両側）に配置することによって、左右の幅を小さくして実施されている。但し、黒丸で示すように、ガイド部６２を第２案内子３２の支持軸の前後に配置して、ケーシング１の左右の幅を抑えるようにしてもよい。また、Ｘで示すように、ガイド部６２をスライド部６１の斜めに配置してもよい。
また、前述の例では、操作部７２の動きの有無のみによって、長尺状体２の巻取りの開始と継続とが決定されていたが、他の条件を付加して、長尺状体２の巻取りの開始と継続とを決定するようにしてもよい。例えば、押しボタン等の第２操作手段をケーシング１に設けて、作業者による操作手段の操作を第２の開始条件と第２の継続条件に付加してもよい。より具体的には、前記充電プラグ２１が装着される前か、後か、前後の何れかにおいて、第２操作手段が操作されることを条件に、巻取りが開始されるようにしてもよい。また、長尺状体２の巻取りは、前記充電プラグ２１が係止されていても、第２操作手段が操作されることによって、中断されるようにしてもよい。第２操作手段は、前述のストッパ機構７とは別個のストッパ機構を設けたものであってもよく、前述のストッパ機構７に組み入れたものとして、第２操作手段が操作されていないと、当接部７１が動かないように構成するなどしたものであってもよい。さらに、第２操作手段は、開始条件と継続条件との何れか一方のみをなすものであってもよく、第２操作手段に加えて第３操作手段を設けても良い。
巻取り部３は、第１案内子３１と第２案内子３２の２つの案内子にて構成したが、３つ以上の案内子を用いてもよい。その際、これら３個以上の案内子を多角形の頂点に配置したり、Ｗ字状の端部と屈曲点に配置したりしてもよく、複数の案内子を動かすようにしてもよく、種々変更して実施することができる。また、案内子は、回動させない場合には、長尺状体が接触する部分のみがあればよいため、半円形のもので構成することによって、互いの案内子を極めて近くまで接近させることができる。
【符号の説明】
【００３９】
１  ケーシング
２  長尺状体
３  巻取り部
４  出口ローラ
５  中間ローラ
６  ガイド機構
７  ストッパ機構
１０  引き出し穴
１１  引き出し穴の下端
１２  給電部
２１  充電プラグ
２２  受け部
２３  係止部
２４  ラッチ
２５  電源端子
２６  アース端子
２７  信号端子
２８  差し込み部
３１  第１案内子
３２  第２案内子
６１  スライド部
６２  ガイド部
７１  当接部
７２  操作部
７３  連結部材
７４  支点
ｇ  設置面
ｋ１  解放始点
【図１】
2015081162.tif 000003
【図２】
2015081162.tif 000004
【図３】
2015081162.tif 000005
【図４】
2015081162.tif 000006
【図５】
2015081162.tif 000007
【図６】
2015081162.tif 000008